(57)【要約】【課題】本発明は、無線受信装置に関し、アンテナ周辺の環境が変化し得る状況でも、比較的狭帯域な周波数特性を持ったマッチング回路によるマッチングをできるだけ最適なものとすることにある。【解決手段】アンテナに受信された受信信号の受信品質に基づいてマッチング回路における制御値を設定する無線受信装置において、アンテナ周辺の環境が変化し得る所定のタイミングで、シーク範囲記憶手段に記憶されている受信チャンネルに対応した制御値のシーク範囲内で制御値を可変させた上で、そのシーク範囲内の制御値のうち受信品質の最も良い最良値を選び出す。そして、その制御値の可変を同一シーク範囲で所定複数回にわたって繰り返した結果として選び出される最良値が収束するか否かを判別し、最良値が収束する場合は、それら複数の最良値に基づいてマッチング回路における制御値を設定する。【選択図】図３
2008236020.tif 000002
【特許請求の範囲】
【請求項１】
アンテナと、前記アンテナに受信された受信信号を復調する復調回路と、前記アンテナと前記復調回路との間に介在され、前記アンテナからの出力と前記復調回路への入力とのインピーダンスマッチングをとるマッチング回路と、前記アンテナに受信された受信信号の受信品質に基づいて前記マッチング回路における回路定数の制御値を設定する制御手段と、を備える無線受信装置であって、
受信チャンネルに対応した前記制御値のシーク範囲を記憶するシーク範囲記憶手段と、
受信環境が変化し得る所定のタイミングで、前記シーク範囲記憶手段に記憶されている前記シーク範囲内で前記制御値を可変させる制御値可変手段と、
前記制御値可変手段により前記シーク範囲内で可変される前記制御値のうちから受信品質の最も良い最良値を選び出す最良値選択手段と、
前記制御値可変手段による前記制御値の可変が同一シーク範囲で所定複数回にわたって行われた場合に前記最良値選択手段により選び出される前記最良値が収束するか否かを判別する収束判別手段と、を備え、
前記制御手段は、前記収束判別手段により前記最良値が収束すると判別される場合、該最良値選択手段によりそれぞれ選び出された複数の前記最良値に基づいて前記制御値を設定することを特徴とする無線受信装置。
【請求項２】
前記収束判別手段により前記最良値が収束すると判別される場合、前記制御手段により設定された前記制御値に応じて、前記シーク範囲記憶手段に記憶する前記シーク範囲を調整するシーク範囲調整手段を備えることを特徴とする請求項１記載の無線受信装置。
【請求項３】
前記制御手段は、前記収束判別手段により前記最良値が収束しないと判別される場合、前記シーク範囲記憶手段に記憶されている前記シーク範囲内で所定の取り決めに従って前記制御値を設定することを特徴とする請求項１又は２記載の無線受信装置。
【請求項４】
前記制御値可変手段は、受信チャンネルが変更された場合、前記受信信号の受信品質が劣化した場合、又は所定以上の温度変化が生じた場合に、前記シーク範囲記憶手段に記憶されている前記シーク範囲内で前記制御値を可変させることを特徴とする請求項１乃至３の何れか一項記載の無線受信装置。
【請求項５】
前記制御値可変手段は、所定時間毎に、前記シーク範囲記憶手段に記憶されている前記シーク範囲内で前記制御値を可変させると共に、
所定条件が成立する場合に前記所定時間を変更する周期変更手段を備えることを特徴とする請求項１乃至３の何れか一項記載の無線受信装置。
【発明の詳細な説明】
【技術分野】
【０００１】
本発明は、無線受信装置に係り、特に、移動体に搭載され或いは移動可能な周辺物の近傍に設置され、アンテナに受信された受信信号の受信品質に基づいて設定された制御値を用いてアンテナと復調回路との間のインピーダンスマッチングをとるうえで好適な無線受信装置に関する。
【背景技術】
【０００２】
従来、アンテナと復調回路との間にマッチング回路を設け、そのマッチング回路を用いてそのアンテナと復調回路との間のインピーダンスマッチングをとる技術が知られている（例えば、特許文献１参照）。この技術によれば、アンテナの出力と復調回路の入力とを直結した構成に比べて、受信性能を改善することが可能となる。
【特許文献１】特開平６−１５２４５１号公報
【発明の開示】
【発明が解決しようとする課題】
【０００３】
ところで、上記従来の無線受信装置では、マッチング回路の回路定数は、周波数と一対の固定値に定められている。このため、例えば上記の無線受信装置が車両に搭載されておりアンテナがガラスアンテナである場合は、リアガラスの前に金属ヘルメットなどの電気導体が置かれたり、或いは、降雨や降雪などによりガラスに付着物がついたり、ガラスの温度が変化したりすることで、アンテナ周辺の環境が変化すれば、アンテナの持つインピーダンスが変化して、マッチング状態が最良のものでなくなり、最適な受信ができなくなってしまう。
【０００４】
本発明は、上述の点に鑑みてなされたものであり、アンテナ周辺の環境が変化するときにも最適な受信状態を保つことが可能な無線受信装置を提供することを目的とする。
【課題を解決するための手段】
【０００５】
上記の目的は、アンテナと、前記アンテナに受信された受信信号を復調する復調回路と、前記アンテナと前記復調回路との間に介在され、前記アンテナからの出力と前記復調回路への入力とのインピーダンスマッチングをとるマッチング回路と、前記アンテナに受信された受信信号の受信品質に基づいて前記マッチング回路における回路定数の制御値を設定する制御手段と、を備える無線受信装置であって、受信チャンネルに対応した前記制御値のシーク範囲を記憶するシーク範囲記憶手段と、受信環境が変化し得る所定のタイミングで、前記シーク範囲記憶手段に記憶されている前記シーク範囲内で前記制御値を可変させる制御値可変手段と、前記制御値可変手段により前記シーク範囲内で可変される前記制御値のうちから受信品質の最も良い最良値を選び出す最良値選択手段と、前記制御値可変手段による前記制御値の可変が同一シーク範囲で所定複数回にわたって行われた場合に前記最良値選択手段により選び出される前記最良値が収束するか否かを判別する収束判別手段と、を備え、前記制御手段は、前記収束判別手段により前記最良値が収束すると判別される場合、該最良値選択手段によりそれぞれ選び出された複数の前記最良値に基づいて前記制御値を設定する無線受信装置により達成される。
【０００６】
この態様の発明においては、電波受信環境が変化し得る所定のタイミングで、シーク範囲記憶手段に記憶されている現在の受信チャンネルに対応したシーク範囲内でマッチング回路における回路定数の制御値が可変され、その可変されるシーク範囲内の制御値のうちから受信品質の最も良い最良値が選び出される。かかる時点でその最良値がマッチング回路の回路定数の制御値として設定されれば、アンテナに受信される受信信号の受信品質を最も良好なものとすることが可能となる。そして、その制御値の可変が同一シーク範囲で所定複数回にわたって行われた場合にそれぞれ選び出される最良値が収束するか否かが判別され、その結果、その最良値が収束する場合には、それら複数の最良値に基づいてマッチング回路の回路定数の制御値が設定される。所定複数回にわたる制御値の可変の結果として上記した最良値が収束すれば、現環境下においてそれら複数の最良値から統計的に良好な受信品質が得られる制御値を求めることが可能となる。従って、本発明によれば、比較的狭帯域な周波数特性を持ったマッチング回路であっても適宜受信環境に合わせて最適なマッチング定数を選択することができるので、移動体の移動や周辺物の移動などによって受信環境が変化し得る状況でも、そのマッチング回路について受信品質のより良い最適な周波数を選択することができる。
【０００７】
ところで、上記した無線受信装置において、前記収束判別手段により前記最良値が収束すると判別される場合、前記制御手段により設定された前記制御値に応じて、前記シーク範囲記憶手段に記憶する前記シーク範囲を調整するシーク範囲調整手段を備えることとすれば、制御手段によりマッチング回路の回路定数の制御値が設定された後、受信品質の最も良い最良値を選び出す際に用いるシーク範囲を、直前に設定された制御値を反映したものとすることができるので、各時点で受信環境に合致した受信品質のより良い受信信号が得られる制御値を設定することができる。
【０００８】
また、上記した無線受信装置において、前記制御手段は、前記収束判別手段により前記最良値が収束しないと判別される場合、前記シーク範囲記憶手段に記憶されている前記シーク範囲内で所定の取り決めに従って前記制御値を設定することとすれば、収束しない最良値に基づいた制御値の設定に起因してマッチング回路によるマッチングが低調なものとなるのを防止することができる。
【０００９】
尚、上記した無線受信装置において、前記制御値可変手段は、受信チャンネルが変更された場合、前記受信信号の受信品質が劣化した場合、又は所定以上の温度変化が生じた場合に、前記シーク範囲記憶手段に記憶されている前記シーク範囲内で前記制御値を可変させることとすればよい。
【００１０】
また、上記した無線受信装置において、前記制御値可変手段は、所定時間毎に、前記シーク範囲記憶手段に記憶されている前記シーク範囲内で前記制御値を可変させると共に、所定条件が成立する場合に前記所定時間を変更する周期変更手段を備えることとすれば、例えば受信装置の温度変化が著しくなるときに、速やかにマッチング回路によるマッチングをできるだけ最適なものとすることができる。
【発明の効果】
【００１１】
本発明によれば、電波受信環境が変化し得る状況でも、比較的狭帯域な周波数特性を持ったマッチング回路についてできるだけ最適な周波数を選択することができる。
【発明を実施するための最良の形態】
【００１２】
以下、図面を用いて、本発明の具体的な実施の形態について説明する。
【００１３】
図１は、本発明の一実施例である無線受信装置１０の構成図を示す。本実施例の無線受信装置１０は、移動体としての車両に搭載されており、複数の受信チャンネルを有するＴＶやＦＭラジオ，ＡＭラジオなどの放送波を受信する装置である。
【００１４】
図１に示す如く、無線受信装置１０は、信号を受信する受信アンテナ１２を備えている。受信アンテナ１２には、マッチング回路１４が接続されている。マッチング回路１４は、受信アンテナ１２と後述の復調回路２２との間に介在されている。マッチング回路１４は、受信アンテナ１２に受信された受信信号をマッチングする回路である。マッチング回路１４は、図２（Ａ）に示す如き比較的広帯域の帯域幅を有する周波数特性ではなく、図２（Ｂ）に示す如き比較的狭帯域の帯域幅を有する周波数特性を有している。マッチング回路１４は、図１に示す如くインダクタンス（コイル）及びキャパシタンス（コンデンサ）が並列接続され又はＴ型或いはπ型に組み合わされて形成されたりしており、そのマッチング定数を可変することが可能である。
【００１５】
マッチング回路１４には、制御回路１６が制御線１８を介して接続されている。制御回路１６は、制御線１８を通じたスイッチングによってマッチング回路１４の回路定数を切り換えることにより或いはバラクタダイオードやＲＦ−ＭＥＭＳ等への印加電圧を可変することにより、マッチング回路１４のマッチング定数を可変させるための回路である。以下、制御回路１６がマッチング回路１４のマッチング定数を設定するうえで制御すべき値（例えば、バラクタダイオードやインダクタンスの切換スイッチ等を駆動させる電圧値等）を制御値と称す。
【００１６】
制御回路１６には、選択されている受信チャンネルの情報が供給される。また、制御回路１６には、受信チャンネルごとにマッチング定数を設定するためのテーブル情報等を記憶・格納したメモリ２０が接続されている。制御回路１６は、後に詳述する如く、メモリ２０に記憶されているテーブル情報を参照して、現に選択されている受信チャンネルに対応したマッチング定数を得るための制御値を設定し、その制御値を用いてマッチング回路１４を制御する。
【００１７】
マッチング回路１４には、また、復調回路２２が接続されている。マッチング回路１４でマッチングされた受信信号は、復調回路２２に供給される。復調回路２２は、マッチング回路１４から出力された受信信号を復調する回路である。尚、この復調回路２２による復調は、マッチング回路１４から出力された受信信号を中間周波（ＩＦ）信号に周波数変換して得られるＩＦ信号に対して行われるものであってもよい。復調回路２２にも、選択されている受信チャンネルの情報が供給される。復調回路２２は、選択されている受信チャンネルに対応して、マッチング回路１４から出力された受信信号を復調する。復調回路２２で復調された受信信号は、例えばＴＶ放送やＦＭ放送，ＡＭ放送の映像信号や音声信号として出力される。
【００１８】
復調回路２２には、検出回路２４が接続されている。復調回路２２で復調された受信信号は、検出回路２４に供給される。検出回路２４は、復調回路２２で復調された受信信号の信号レベルやＳ／Ｎ比を検出することにより、受信アンテナ１２に受信された受信信号の受信品質を求める回路である。尚、検出回路２４は、受信アンテナ１２に受信された受信信号の受信品質を検出する方法として、復調回路２２で復調された受信信号を用いるが、かかる方法以外に、マッチング回路１４でのＲＦ受信信号の強度を検出すること、或いは、ＡＧＣ（Automatic  Gain  Control；自動利得調整）機能による電圧値に基づいて信号強度を検出することにより、受信アンテナ１２での受信信号の受信品質を検出することとしてもよい。
【００１９】
検出回路２４の出力は、上記した制御回路１６に供給される。制御回路１６は、検出回路２４から供給される受信アンテナ１２に受信された受信信号の受信品質に基づいて、マッチング回路１４の制御を実行する。
【００２０】
次に、図３を用いて、本実施例の無線受信装置１０の動作について説明する。図３は、本実施例の無線受信装置１０において制御回路１６が実行する制御ルーチンの一例のフローチャートを示す。
【００２１】
上記の如く、本実施例の無線受信装置１０は、複数の受信チャンネルを有するＦＭラジオやＴＶ，ＡＭラジオなどの放送波を受信する装置であり、また、マッチング回路１４は、図２（Ｂ）に示す如き比較的狭帯域の帯域幅を有する周波数特性を有している。従って、本実施例の無線受信装置１０において、希望の受信チャンネルの放送波を受信するためには、マッチング回路１４の周波数特性をその希望受信チャンネルに合わせて変更することが必要である。
【００２２】
一方、無線受信装置１０は、移動体である車両に搭載されるため、車両の移動或いは周辺物の移動により受信環境が時々刻々と変化し易く、そのため、希望受信チャンネルとマッチング回路１４の周波数特性とが固定された関係のままにあると、希望受信チャンネルにおいてマッチング回路１４による受信品質の良好なマッチングが行われず、最適なマッチング定数（制御値；バラクタダイオードやインダクタンスの切換スイッチ等を駆動させる電圧値等）を選択できない不都合が生じ得る。
【００２３】
これに対して、本実施例の無線受信装置１０においては、メモリ２０に、受信チャンネルごとに最適なマッチング定数を得るために制御値（バラクタダイオードやインダクタンスの切換スイッチ等を駆動させる電圧値等）を可変してシークすべき周波数の範囲（以下、シーク範囲と称す）を特定したテーブル情報が記憶・格納されている。
【００２４】
このメモリ２０に格納されるテーブル情報のシーク範囲は、受信チャンネルごとに定められ、無線受信装置１０として受信して使用する周波数の全域ではなくその一部に限定されたものであって、マッチング回路１４内のマッチング素子の部品バラツキや温度バラツキ等の統計データに基づいて初期設定されたものであり、後述の如く、受信時に実際に設定された制御値が反映されることにより学習されるものである。尚、この学習は、例えば、その時点までに実際に設定された複数の制御値を統計的に処理することにより、σや３σなどのしきい値を用いてシーク範囲を調整して行うこととすればよい。
【００２５】
また、制御回路１６は、車両乗員による操作等により選択される受信チャンネルが変更された場合及び検出回路２４から供給される受信信号の受信品質が著しく劣化した場合、マッチング回路１４におけるマッチングのための処理を開始する。具体的には、まず、その実行時点で選択されている受信チャンネルを特定したうえで、その受信チャンネルに対応した制御値のシーク範囲をメモリ２０から読み出して決定する（ステップ１００）。そして、その設定されたシーク範囲内でマッチング回路１４の制御値を所定値間隔で順次所定時間を置いて可変させる（ステップ１０２）。
【００２６】
マッチング回路１４の制御値がシーク範囲内で可変されると、その可変に従ってマッチング回路１４のマッチング定数が可変される。制御値がシーク範囲内で可変される過程で受信アンテナ１２に受信された受信信号のピークサーチを行い、受信信号のピークが得られたときの制御値が現環境下において最も品質の良い受信信号を得ることが可能な制御値であると判断できる。
【００２７】
復調回路２２は、選択されている受信チャンネルに対応して、マッチング回路１４から出力された受信信号を復調する。また、検出回路２４は、制御路１６がマッチング回路１４の制御値をシーク範囲内で可変させる過程で、各制御値ごとに、復調回路２２からの受信信号の信号レベルやＳ／Ｎ比を検出して、受信アンテナ１２に受信された受信信号の受信品質を求め、その結果を制御回路１６に供給する。
【００２８】
制御回路１６は、マッチング回路１４の制御値をシーク範囲内で可変させている過程で、検出回路２４から供給される受信信号の受信品質を比較してそのピークサーチを行う。そして、受信信号のピークが得られたときの制御値を最良の受信品質が得られた値（以下、最良値と称す）としてメモリ２０に保存する（ステップ１０４）。
【００２９】
制御回路１６は、上記したマッチング回路１４の制御値の可変を同一シーク範囲で所定複数回Ｎ（例えば５回）にわたって連続して行い（ステップ１０２）、その結果としてそれぞれ得られる各最良値をメモリ２０に保存する（ステップ１０４）。尚、この複数回Ｎの制御値の可変は、その可変に伴うスイッチのチャタリングや回路の過渡応答性を考慮して所定の時間間隔を置いて行うこととするのが好適である。
【００３０】
制御回路１６は、マッチング回路１４における制御値の可変を同一シーク範囲で所定複数回Ｎにわたって行った後、その結果としてそれぞれ得られる各最良値について収束性があるか否かを判別する（ステップ１０６）。尚、この収束性があるか否かの判別は、所定複数回にわたる同一シーク範囲での制御値の可変によってそれぞれ得られた各最良値に基づいてその最良値の分散又は標準偏差を算出したうえで、その分散又は標準偏差が所定閾値以下であるか否かに基づいて行うこととすればよい。
【００３１】
その結果、分散又は標準偏差が所定閾値以下であり最良値が収束性すると判別される場合は、所定複数回にわたる同一シーク範囲での制御値の可変によってそれぞれ得られた各最良値に基づいて、現環境下でマッチング回路１４において用いるべき、最も受信品質の良い受信信号を得ることが可能な制御値を設定する（ステップ１０８）。尚、この制御値の設定は、所定複数回にわたる同一シーク範囲での制御値の可変によってそれぞれ得られた各最良値を統計的な手法によって処理（例えば平均処理）することにより得られた値を用いることとすればよい。本ステップ１０８の処理が実行されると、現時点で選択されている受信チャンネルに対して、最も受信品質の良い受信信号が得られる制御値に従った周波数特性でマッチング回路１４が受信信号をマッチングすることとなる。
【００３２】
そして、上記ステップ１０８の処理によりマッチング回路１４の制御値が設定された場合は、次に、その制御値を受信チャンネルと対応させてメモリ２０に記憶・格納するテーブル情報に反映することにより、受信チャンネルとシーク範囲との関係を規定するテーブル情報を学習させる（ステップ１１０）。尚、この学習は、その時点までに過去に設定された複数の制御値を統計的に処理することにより、σや３σなどのしきい値を用いてシーク範囲を調整して行うこととすればよい。本ステップ１１０の処理が実行されると、その後、同じ受信チャンネルが選択された際に、メモリ２０に記憶・格納されているその受信チャンネルに対応したシーク範囲内で制御値が可変されることで、その時点の環境下で最も受信品質の良い受信信号が得られるマッチング回路１４の制御値が求められることとなる。
【００３３】
一方、上記ステップ１０６において分散又は標準偏差が所定閾値を超えて最良値が収束しないと判別される場合は、マルチパスフェージングが生じているとして、現時点でメモリ２０に記憶・格納されているテーブル情報を参照して、選択されている受信チャンネルに対応した制御値（例えば過去に設定された複数の制御値を統計的に処理して得られる値）を求め、マッチング回路１４で用いる制御値を設定する（ステップ１１２）。本ステップ１１２の処理が実行されると、現時点で選択されている受信チャンネルに対して、現時点までの統計から受信品質の良い受信信号が得られると予測されている制御値に従った周波数特性でマッチング回路１４が受信信号をマッチングすることとなる。尚、この設定がなされた場合には、例えば、所定時間経過後、同じ受信チャンネルが選択されている状況で再度、所定複数回にわたる同一シーク範囲での制御値の可変を行って、それぞれ得られる各最良値からその収束性があるか否かを判別することにより、上記した自動マッチング処理を繰り返すこととしてもよい。
【００３４】
上記した制御回路１６及び復調回路２２によるマッチング回路１４のマッチングのための処理は、異なる受信チャンネルごとにそれぞれ実施される。
【００３５】
このように本実施例の無線受信装置１０においては、所定のタイミング、具体的には、選択される受信チャンネルが変更された場合及び受信アンテナ１２に受信される受信信号の受信品質が著しく劣化した場合に、メモリ２０に記憶されているテーブル情報から現在の受信チャンネルに対応するシーク範囲を読み出して、そのシーク範囲内において所定値間隔でマッチング回路１４における制御値が可変され、そして、その制御値の可変過程で制御値ごとの受信信号の受信品質が求められ、そのピークサーチによって最も良好な受信品質が得られる制御値（最良値）が選び出される。かかる時点でその選び出された最良値がマッチング回路１４の制御値として設定されれば、受信アンテナ１２に受信される受信信号の受信品質を最も良好なものとすることが可能となる。
【００３６】
また、本実施例の無線受信装置１０においては、上記した制御値の可変が同一シーク範囲内で所定複数回Ｎにわたって行われた場合にそれぞれ選び出される最良値が収束するか否かが判別され、その結果、最良値が収束する場合には、それら複数の最良値に基づいてマッチング回路１４における制御値が設定される。制御値の可変が同一シーク範囲内で所定複数回Ｎにわたって行われた場合に最良値が収束すれば、現環境下においてそれら収束する複数の最良値から統計的に最も良好な受信品質が得られると予測される制御値を求めることが可能となる。従って、かかる構成によれば、マッチング回路１４が、現環境下において、現に選択されている一の受信チャンネルに対して最も受信品質の良い受信信号が得られる制御値に従った周波数特性で受信信号をマッチングすることが可能となる。
【００３７】
上記の如くマッチング回路１４は比較的狭帯域の帯域幅を有する周波数特性を有しているが、上記した本実施例の無線受信装置１０によれば、比較的狭帯域の周波数特性を持ったマッチング回路１４においても所定のタイミングで適宜電波受信環境に合わせて最適なマッチング定数を選択することができる。このため、本実施例の無線受信装置１０によれば、その無線受信装置１０を搭載する車両の移動やアンテナ周辺物の移動などによって受信アンテナ１２における電波受信環境が変化し得る状況でも、マッチング回路１４によるマッチングを、その周波数特性を比較的狭帯域に維持したまますなわちノイズ量の減少や受信感度の向上効果を確保したまま、受信品質のより良い最適なものとすることが可能となっている。
【００３８】
尚、本実施例の無線受信装置１０においては、制御値の可変が同一シーク範囲内で所定複数回Ｎにわたって行われた場合にそれぞれ選び出される最良値が収束しない場合には、現時点でメモリ２０に記憶・格納されているテーブル情報を参照して、選択されている受信チャンネルに対応した制御値がマッチング回路１４で用いる制御値として設定される。テーブル情報に基づいた受信チャンネルごとの制御値は、現時点までの統計から受信品質の良い受信信号が得られると予測されているものである。この点、本実施例によれば、収束しない最良値に基づく受信品質のあまり良くない受信信号が得られる制御値が設定されることはなく、マッチング回路１４によるマッチングが受信品質のあまり良くない低調なものとなるのを防止することが可能となっている。
【００３９】
また、本実施例においては、同一シーク範囲内での制御値の可変によって選び出された複数の最良値に基づいてマッチング回路１４における制御値が設定されると、その制御値が受信チャンネルと対応されてメモリ２０に記憶・格納するテーブル情報に反映されることにより例えばその時点までに実際に設定された複数の制御値が統計的に処理されることによりシーク範囲が調整され、受信チャンネルとシーク範囲との関係を規定するテーブル情報が学習される。そして、その後、同じ受信チャンネルが選択された際に、その受信チャンネルに対応したシーク範囲内でマッチング回路１４の制御値が可変されて、その時点の環境下で最も受信品質の良い受信信号が得られるマッチング回路１４の制御値が求められる。この点、本実施例によれば、一旦ある時点で受信品質のより良い受信信号を得られるマッチング回路１４の制御値が設定された後、再度同じ受信チャンネルで受信品質の最も良い最良値を選び出す際に用いるシーク範囲を、直前に設定された制御値を反映したものとすることができるので、各時点で電波受信環境に合致した受信品質のより良い受信信号が得られる制御値を設定することが可能となっている。
【００４０】
尚、上記の実施例においては、マッチング回路１４が特許請求の範囲に記載した「マッチング回路」に、メモリ２０が特許請求の範囲に記載した「シーク範囲記憶手段」に、それぞれ相当していると共に、制御回路１６が、図３に示すルーチン中ステップ１０２の処理を実行することにより特許請求の範囲に記載した「制御値可変手段」が、ステップ１０４の処理を実行することにより特許請求の範囲に記載した「最良値選択手段」が、ステップ１０６の処理を実行することにより特許請求の範囲に記載した「収束判別手段」が、ステップ１０８の処理を実行することにより特許請求の範囲に記載した「制御手段」が、ステップ１１０の処理を実行することにより特許請求の範囲に記載した「シーク範囲調整手段」が、それぞれ実現されている。
【００４１】
ところで、上記の実施例においては、無線受信装置１０を車両に搭載するものとしたが、本発明はこれに限定されるものではなく、移動体として電波受信環境が変化し得る使用者に携帯される携帯機などに搭載することとしてもよいし、また、車両や携帯機などの移動体に限らず、周辺物の移動によって電波受信環境が変化し得る固定物に設置することとしてもよい。
【００４２】
また、上記の実施例においては、無線受信装置１０をＦＭラジオやＡＭラジオ，ＴＶなどの放送波を受信するものとしたが、本発明はこれに限定されるものではなく、車両と車両使用者の携帯する携帯機との間の通信電波（例えば、キーレスエントリーシステムやタイヤ空気圧検知システムに利用される電波）を受信するものとしてもよい。
【００４３】
また、上記の実施例においては、選択される受信チャンネルが変更された場合及び受信アンテナ１２に受信される受信信号の受信品質が著しく劣化した場合に、マッチング回路１４におけるマッチングのための処理を開始することとしているが、自動マッチングを開始するトリガー条件としてはこれに限定されるものではなく、所定以上の温度変化が生じた場合にマッチング回路１４におけるマッチングのための処理を開始することとしてもよい。かかる構成によれば、温度変化に対応して最良の受信品質が得られる制御値が設定されるので、温度変化に速やかに追従した最適な自動マッチングを行うことが可能となる。
【００４４】
また、所定時間が経過するごとに定期的にマッチング回路１４におけるマッチングのための処理を実行することとしてもよい。更に、この変形例においては、所定以上の温度変化が生じた場合或いは無線受信装置１０周辺の温度変化が著しくなる車両のエンジン始動直後、上記した所定時間を短縮すること、すなわち、マッチング回路１４におけるマッチングのための処理を実行する周期を短くすることとしてもよい。かかる構成によれば、無線受信装置１０の温度変化が著しくなるときに速やかにマッチング回路１４によるマッチングをできるだけ最適なものとすることが可能となる。この場合は、所定以上の温度変化が生ずること又は車両のエンジンが始動されたことが特許請求の範囲に記載した「所定条件が成立する場合」に相当すると共に、制御回路１６が、所定以上の温度変化が生じた場合或いは車両のエンジンが始動された場合にマッチング回路１４におけるマッチングのための処理を実行する周期を短くすることにより特許請求の範囲に記載した「周期変更手段」が実現される。
【００４５】
更に、上記の実施例においては、受信チャンネルごとのシーク範囲をマッチング回路１４周辺の温度に関係なく一律のものとしているが、その周辺温度に応じてシーク範囲を変更することとしてもよい。かかる構成によれば、マッチング回路１４によるマッチングを無線受信装置１０の温度変化に追従して適切なものとすることが可能となる。
【図面の簡単な説明】
【００４６】
【図１】本発明の一実施例である無線受信装置の構成図である。
【図２】本実施例の無線受信装置が備えるマッチング回路の周波数特性を説明するための図である。
【図３】本実施例の無線受信装置において実行される制御ルーチンの一例のフローチャートである。
【符号の説明】
【００４７】
１０  無線受信装置
１２  受信アンテナ
１４  マッチング回路
１６  制御回路
２０  メモリ
２４  検出回路
【図１】
2008236020.tif 000003
【図２】
2008236020.tif 000004
【図３】
2008236020.tif 000005